(57)【特許請求の範囲】
【請求項１】
移動無線通信端末が、位置情報取得手段と、基地局からの電波が遮断されて通信の維持が不可能となるエリアが地図上に指定されているデータベースを保有し、通信が切断された際に、前記位置情報取得手段から得た位置情報と前記データベースとを照合して、前記通信が切断された場所が、基地局からの電波が遮断されて通信の維持が不可能となるエリアと一致するときには、前記基地局から取得した第１のタイマーおよび該第１のタイマーとは別に設定された前記第１のタイマーより長い第２のタイマーを起動し、前記第１のタイマーがタイムアップした後、かつ前記第２のタイマーがタイムアップする前に前記基地局または別の基地局との通信が可能となったときに、前記切断された通信の発信先電話番号もしくは接続先サイトのアドレスに対して自動で再発信することを特徴とする通信切断時における再発信方法。
【請求項２】
移動無線通信端末が、位置情報取得手段と、基地局からの電波が遮断されて通信の維持が不可能となるエリアが地図上に指定されているデータベースを保有し、前記位置情報取得手段から定期的に得られる位置情報と前記データベースとを照合し、前記基地局からの電波が遮断されて通信の維持が不可能となるエリアに入ることが予測されるときに予告通知を行い、該予告通知後に通信が切断された際には、前記基地局から取得した第１のタイマーおよび該第１のタイマーとは別に設定された前記第１のタイマーより長い第２のタイマーを起動し、前記第１のタイマーがタイムアップした後、かつ前記第２のタイマーがタイムアップする前に前記基地局または別の基地局との通信が可能となったときに、前記切断された通信の発信先電話番号もしくは接続先サイトのアドレスに対して自動で再発信することを特徴とする通信切断時における再発信方法。
【請求項３】
通信中に自端末の位置を取得する位置情報取得部と、通信の維持が不可能なエリアが地図上に指定されているデータを格納するデータベースと、基地局から取得した第１のタイマー及び該第１のタイマーとは別に設定された前記第１のタイマーより長い第２のタイマーを有するタイマー部とを備え、
前記通信が切断されたときに前記位置情報取得部により取得された自端末の位置と前記データベースに登録されているデータを照合する機能と、該照合の結果、前記自端末の位置が前記通信不能位置情報登録部に登録されているデータと一致するとき前記第１及び前記第２のタイマーを起動して計時を開始する機能と、前記第１のタイマーがタイムアップした後、かつ前記第２のタイマーがタイムアップする前に前記基地局または別の基地局との通信が可能となったとき、前記切断された通信の発信先電話番号もしくは接続先サイトのアドレスに対して再発信する機能を供えていることを特徴とする移動無線通信端末。
【請求項４】
通信中に自端末の位置を取得する位置情報取得部と、通信の維持が不可能なエリアが地図上に指定されているデータを格納するデータベースと、基地局から取得した第１のタイマー及び該第１のタイマーとは別に設定された前記第１のタイマーより長い第２のタイマーを有するタイマー部とを備え、
前記位置情報取得部から定期的に得られる位置情報と前記データベースに登録されているデータを照合する機能と、該照合の結果前記基地局からの電波が遮断されて通信の維持が不可能となるエリアに入ることが予測されるときに予告通知を行う機能と、該予告通知後に通信が切断されたとき、前記第１及び前記第２のタイマーを起動して計時を開始する機能と、前記第１のタイマーがタイムアップした後、かつ前記第２のタイマーがタイムアップする前に前記基地局または別の基地局との通信が可能となったとき、前記切断された通信の発信先電話番号もしくは接続先サイトのアドレスに対して再発信する機能を供えていることを特徴とする移動無線通信端末。
【請求項５】
前記データベースには、移動しながら通信を行った際に前記基地局との間の通信が切断されることが予測される場所と、地図データとが関連付けされて登録されていることを特徴とする請求項３又は４に記載の移動無線通信端末。
【請求項６】
前記第２のタイマーに設定される時間は、ユーザにより任意に設定可能に構成されていることを特徴とする請求項３〜５のいずれか１項に記載の移動無線通信端末。
【請求項７】
前記第２のタイマーに設定される時間は、前記基地局からの電波が遮断されるエリア毎に選定されて前記データベースに登録され、通信が切断された場所が前記基地局からの電波が遮断されて通信の維持が不可能となるエリアと一致するときに、該エリアと関連付けされて登録されている前記第２のタイマーの設定時間を読み出して、前記第２のタイマーに初期値としてセットする機能を有していることを特徴とする請求項３〜５のいずれか１項に記載の移動無線通信端末。
【発明の詳細な説明】
【技術分野】
【０００１】
本発明は、携帯電話機等の移動無線通信端末に関し、特に、移動中に地理的条件により受信品質が劣化し、基地局と移動無線通信端末との間の通信が切断された場合における再発信技術に関する。
【背景技術】
【０００２】
現在、複数の通信方式を利用した携帯電話機等の移動無線通信端末が普及しており、特にＧＰＳ（Global Positioning System）機能を搭載した移動無線通信端末など、さまざまな機能を有した移動無線通信端末が普及している。これらの機能を有効に活用し、安定した通信並びに、ユーザにとって付加価値の高い通信の実現が期待されている。
【０００３】
移動無線通信端末は、サ−ビスエリアを互いに接するようにして適当な間隔で配置された基地局を中継点として移動しながら他の移動無線通信端末と通信を行うことが可能であるが、このような移動中の通信において、ビルの谷間、高速道路のトンネル内等のように、サ−ビスエリア内であっても局部的に著しく電界の弱い場所を通過する際には、基地局との間において一時的に通信不能な状態が発生する。その場合、基地局側が、無線回線を断つと共に、通話相手方に対して所定の終話処理により回線接続を断にする処理を実行して接続中の回線を開放してしまうと、通話者は局部的弱電界部分の通過後に、再度通話再開のために発呼操作を実行しなければならなくなる。
【０００４】
このような問題の解消手段として、特許文献１では、移動無線電話機側に、局所的弱電界地域に入って通話が途絶えたとき、同地域を抜け出した時点で直ちに自機から再呼出を行う旨の特定情報を送出する処理を相手方に対して呼出を掛ける際の呼出処理又はその後の任意の処理に予め含めておき、基地局側は、移動無線電話機からの呼出処理又は前記任意の処理に前記特定情報が含まれているときには、当該無線電話機からの通話途絶に応答して、それまでの無線回線を一定時間保持し、かつそれまでの通話先に対しては通話が途絶したこと及び再接続処理を行っていることを伝えて一旦終話を行い、その後無線電話機からの通信再開を待って相手方との再接続を行う処理を含めることにより、局部的弱電界部分の通過終了後、直ちに回線を自動的に再接続して通話を再開できるようにする技術が提案されている。
【０００５】
また特許文献２では、移動無線電話機及び基地局が相互の電波断により呼が中断したことを検出したとき、該基地局が該電波断を移動網交換局に通知することにより、該移動網交換局が一定時間網側での呼の保留を行い、その間、該移動無線電話機又は基地局が所定メッセージを送出し続け、一定時間の間に該基地局又は移動無線電話機が該所定メッセージを検出したときこれをそれぞれ該移動無線電話機又は基地局及び該移動網交換局に通知することにより該移動網交換局が前記呼の保留を解除して該呼の再接続を行わせることによって、移動無線電話機が弱電界領域を通過したのちに呼の再接続を迅速且つ簡単に行えるようにしている。
【０００６】
また、Ｗ−ＣＤＭＡ（Wideband-Code Division Multiple Access）方式を用いた移動無線通信端末では、トンネル、高層建物の影などの地理的条件により受信品質が劣化し、基地局と移動無線通信端末との受信タイミング同期が外れ、通信が切断された場合に、元の通信を再接続する機能が設けられている。再接続の実施はタイマーで管理されており、そのタイマーがタイムアップする前に通信可能な基地局が検出されれば、再接続処理が実施され、タイマーがタイムアップするまでに通信可能な基地局が検出できなければ、再接続処理は実施されない。この再接続の実施を管理するタイマーは基地局から移動無線通信端末に伝達される。以下、再接続の実施を管理するタイマーを再接続タイマーと呼ぶ。
【０００７】
図４〜図５は、従来の移動無線通信端末が再接続処理をする際の受信品質と再接続タイマーの時間関係を示しており、図４は再接続に成功した場合を表し、図５は再接続に失敗した場合を表している。受信品質と紐付けしてある曲線は移動無線通信端末が通信している基地局の受信品質を表している。
【０００８】
図４における再接続に成功したときの動作では、基地局１と通信している状態で、トンネルなどの影響で基地局１の受信品質が劣化していき、通話を維持できなくなる受信品質に至ったとき、基地局との通信が切断される。通信が切断された時点から再接続タイマーが起動され、その後、再接続タイマーがタイムアップする前に基地局２が検出され、その時点で再接続処理が実施されるため、元の通信が再接続される。
【０００９】
一方、図５に示す再接続に失敗した場合の動作では、基地局１と通信している状態で、トンネルなどの影響で基地局１の受信品質が劣化していき、通話を維持できなくなる受信品質に至ったとき、基地局との通信が切断される。通信が切断された時点から再接続タイマーが起動され、その後、再接続タイマーがタイムアップするまでの間に基地局２を検出することができなかったため、元の通信の再接続は失敗となる。再接続タイマーがタイムアップ後に、基地局２を検出したときには、その時点から移動無線通信端末は基地局２に位置登録して通常の待ち受け状態となる。
【００１０】
図６は、従来の移動無線通信端末における通信切断時の再接続動作を示すフローチャートである。
【００１１】
図６において、携帯電話端末が基地局経由で通話相手と通信状態にあるとき（Ｓ１）、携帯電話端末が通信している基地局の受信品質劣化により、通信が切断した状態に遷移する（Ｓ２）と、再接続タイマーが起動される（Ｓ３）。再接続タイマーが時間計測中に別の基地局が検出されれば（Ｓ４：Ｙ）、該基地局経由で前記通話相手と再度通信状態に遷移し（Ｓ１）、再接続タイマーは初期化される。一方、別の基地局を検出できない状態（Ｓ４：Ｎ）で再接続タイマーがタイムアップした場合（Ｓ５：Ｙ）には、再接続タイマーを初期化し終話状態に遷移する（Ｓ６）。その後は、基地局の検出を続行し（Ｓ７）、基地局が検出されれば（Ｓ７：Ｙ）、位置登録して通常の待ち受け状態となる（Ｓ８）。基地局が検出されない場合（Ｓ７：Ｎ）は、基地局の検出動作（Ｓ７）を繰り返す。
【００１２】
【特許文献１】特開平５−２８４０９１号公報
【特許文献２】特開平６−３１５００６号公報
【発明の開示】
【発明が解決しようとする課題】
【００１３】
上記従来技術によれば、移動無線通信端末が通信中に一時的に弱電界領域に突入して通信が切断するような状況に対して再接続タイマーにより一定時間通信を保留状態とし、一定時間内に弱電界領域を脱出して通信可能となったとき保留状態を解除して前記通信を継続することができるようにしているので、再発信操作を実施しなくて済むが、通常この再接続タイマーの設定時間は基地局側で決められ、音声通話の場合３０秒程度、データ通信の場合３分程度に設定されており、ユーザが任意に変更することはできない値である。
【００１４】
一方、例えばトンネル内の場合、基地局からの電波が届かず、受信品質が劣化し、通信の切断が発生しやすい環境であり、且つトンネルを抜けるまでは別の基地局の検出ができず、元の通信の再接続は不可能なエリアであるが、このトンネル内の通過時間はトンネルの長さ、あるいは車速に依存し一定ではない。そのため上記再接続タイマーの設定時間内にトンネルを抜けることができない場合には、その間、別の基地局の検出が不成功となり、トンネルを抜ければ通信可能な状態になるにもかかわらず、トンネル内で通信が完全に切断されてしまう。
【００１５】
このように、トンネルを抜ける直前で再接続タイマーがタイムアップし、元の通信が再接続できないケースでは、トンネルを抜けた直後に、ユーザが元の通信の再発信操作を実施しなければならないことになる。たとえば、パケット通信で大容量のデータをダウンロードしている場合、大容量データを再度ダウンロードしなおさなければならなくなり、操作性が悪くなるという問題が生じる。
【００１６】
ユーザの立場で考えると、このような場合、トンネルを抜けた時点で再接続処理が実施されるべきであるが、上記従来の端末では不可能である。一方、トンネル内で渋滞に遭遇し、トンネルを抜けるまでに時間が掛かった場合には、ユーザはもはや再接続を望まない、もしくは再接続が必要ない状況も想定される。
【００１７】
本発明の目的は、上記問題点に鑑み、通信中の移動無線通信端末が基地局からの電波が遮断されるようなエリアで通信が切断された際に、該通信切断後の当該移動無線通信端末による前記通信先に対する再発信操作を自動的且つ適切に実行可能にする手段を提供することにある。
【課題を解決するための手段】
【００１８】
本発明は、ＧＰＳ（Global Positioning System）等の位置情報取得機能と、トンネルなど、基地局からの電波が遮断されて通信の維持が不可能となるエリアが地図上に指定されているデータベースを保有する移動無線通信端末であって、通信が切断された際に、ＧＰＳ機能から得た位置情報と移動無線通信端末が保有しているデータベースとから、通信が切断された場所がトンネルなど、基地局からの電波が遮断されて通信の維持が不可能となるエリアであるか否かを判断し、基地局からの電波が遮断されて通信の維持が不可能となるエリアであるときには、基地局から取得した再接続タイマー以外に、端末内部にタイマーを設定し、通信可能な環境に移動した際に、先の通話相手に対して、自動で発信することを特徴としている。
【００１９】
具体的には、本発明の通信切断時における再発信方法は、移動無線通信端末が、位置情報取得手段と基地局からの電波が遮断されて通信の維持が不可能となるエリアが地図上に指定されているデータベースを保有し、通信が切断された際に、前記位置情報取得手段から得た位置情報と前記データベースとを照合して、前記通信が切断された場所が、基地局からの電波が遮断されて通信の維持が不可能となるエリアと一致するときには、前記基地局から取得した第１のタイマーおよび該第１のタイマーとは別に設定された前記第１のタイマーより長い第２のタイマーを起動し、前記第１のタイマーがタイムアップした後、かつ前記第２のタイマーがタイムアップする前に前記基地局または別の基地局との通信が可能となったときに、前記切断された通信の発信先電話番号もしくは接続先サイトのアドレスに対して自動で再発信することを特徴とする。
【００２０】
また本発明の別の実施例による通信切断時における再発信方法は、移動無線通信端末が、位置情報取得手段と、基地局からの電波が遮断されて通信の維持が不可能となるエリアが地図上に指定されているデータベースを保有し、前記位置情報取得手段から定期的に得られる位置情報と前記データベースとを照合し、前記基地局からの電波が遮断されて通信の維持が不可能となるエリアに入ることが予測されるときに予告通知を行い、該予告通知後に通信が切断された際には、前記基地局から取得した第１のタイマーおよび該第１のタイマーとは別に設定された前記第１のタイマーより長い第２のタイマーを起動し、前記第１のタイマーがタイムアップした後、かつ前記第２のタイマーがタイムアップする前に前記基地局または別の基地局との通信が可能となったときに、前記切断された通信の発信先電話番号もしくは接続先サイトのアドレスに対して自動で再発信することを特徴とする。
【００２１】
また本発明の移動無線通信端末は、通信中に自端末の位置を取得する位置情報取得部と、通信の維持が不可能なエリアが地図上に指定されているデータを格納するデータベースと、基地局から取得した第１のタイマー及び該第１のタイマーとは別に設定された前記第１のタイマーより長い第２のタイマーを有するタイマー部とを備え、前記通信が切断されたときに前記位置情報取得部により取得された自端末の位置と前記データベースに登録されているデータを照合する機能と、該照合の結果、前記自端末の位置が前記通信不能位置情報登録部に登録されているデータと一致するとき前記第１及び前記第２のタイマーを起動して計時を開始する機能と、前記第１のタイマーがタイムアップした後、かつ前記第２のタイマーがタイムアップする前に前記基地局または別の基地局との通信が可能となったとき、前記切断された通信の発信先電話番号もしくは接続先サイトのアドレスに対して再発信する機能を供えている。
【００２２】
また本発明の別の実施例による移動無線通信端末は、通信中に自端末の位置を取得する位置情報取得部と、通信の維持が不可能なエリアが地図上に指定されているデータを格納するデータベースと、基地局から取得した第１のタイマー及び該第１のタイマーとは別に設定された前記第１のタイマーより長い第２のタイマーを有するタイマー部とを備え、前記位置情報取得部から定期的に得られる位置情報と前記データベースに登録されているデータを照合する機能と、該照合の結果前記基地局からの電波が遮断されて通信の維持が不可能となるエリアに入ることが予測されるときに予告通知を行う機能と、該予告通知後に通信が切断されたとき、前記第１及び前記第２のタイマーを起動して計時を開始する機能と、前記第１のタイマーがタイムアップした後、かつ前記第２のタイマーがタイムアップする前に前記基地局または別の基地局との通信が可能となったとき、前記切断された通信の発信先電話番号もしくは接続先サイトのアドレスに対して再発信する機能を供えている。
【００２３】
本発明は、ＧＰＳにより定期的に位置情報を取得し、通信切断の直前の位置情報と、移動無線通信端末内に格納されている地図情報のデータベースとから、トンネル内にて通信切断が発生したと判定した場合は、再接続処理に失敗した後でも、トンネルを抜けて通話が実施できる状態になれば、通話切断時の相手に自動的に再発信する。その際、トンネルで渋滞になり、トンネルを抜けるまでに時間が掛かり、ユーザが再接続を望まないもしくは、再接続が不要となることがあるので、再接続タイマーとは別に、ユーザが自動再発信を望む時間を設定可能なタイマーを用意する。以後、このタイマーをアプリタイマーと呼ぶ。なお、アプリタイマーより再接続タイマーの時間が長いようであれば、再接続タイマーを優先し、アプリタイマーは動作しない。
【発明の効果】
【００２４】
本発明ではＧＰＳ機能により、通話切断した際の位置情報を取得し、その情報をデータベースと照合し、通話が切断した位置が基地局からの電波が遮断されているエリアと判明した際に、アプリタイマーを設定することで、自動で再発信を行うことが可能となるので、トンネル等で通話切断した際に、トンネル等を抜けた直後にユーザに再発信を強いる問題を改善できる。
【００２５】
更に、ＧＰＳ機能により通話断となりそうな位置の情報を取得した際に、通話断となる前にバックグラウンドで「トンネルに入るため、通話が中断されます。暫く、そのままの状態でお待ちください。」などを音声に重畳して、接続先、もしくは双方に知らせる機能を有することにより、接続先、もしくは双方に通信状況を伝えることが可能になるという別の効果も得られる。
【発明を実施するための最良の形態】
【００２６】
図１は、本発明の実施形態を示す移動無線通信端末のブロック構成図である。
【００２７】
図１において、無線部（１）は、基地局を経由した無線送受信を実行するとともに、基地局からの信号受信品質の測定、および基地局の報知情報を受信する機能を有している。位置情報取得部（２）は、ＧＰＳ受信機を備えており、当該移動無線通信端末の現在位置を測定する機能を有している。通信不能位置情報登録部（３）は、地図情報を有しており、トンネルなど通信が不可能な場所に関する情報が格納されている。タイマー部（４）は、無線部（１）が基地局から受信した報知情報より取得した再接続タイマー、及びユーザによりその設定時間を任意に指定可能なアプリタイマーを格納するとともに、各タイマー起動時にタイマー情報を制御部（５）に報告する機能を有している。
【００２８】
制御部（５）は、この移動無線通信端末が備えている各種機能の実行を制御するが、本発明と直接関連する制御として、通話切断時に位置情報取得部（２）で取得された位置情報と通信不能位置情報登録部（３）を照合し、トンネルなど通信不可能な場所での通信切断であった場合は、タイマー部（４）より、再接続タイマー，およびアプリタイマーを読み出し、再接続処理、再発信処理などの、本発明の主要動作を実行する。
【００２９】
なお、図示していないが、移動無線通信端末には動作電源としてのバッテリー、この移動無線通信端末が携帯電話機として構成されている場合には、キー入力部、表示部、電話通信のために必要となる通話手段、着呼通知手段等の各種構成を含んでいる。また、制御部（５）には、その内部にＣＰＵ、およびＲＯＭ、ＲＡＭ、不揮発性メモリ（フラッシュメモリ等）などの各種メモリを備えた記憶部も含まれており、制御部（５）内のＣＰＵが、ＲＯＭや不揮発性メモリに格納されている制御プログラムを実行することにより移動無線通信端末の各部の動作を制御し、ＲＡＭは、ＣＰＵによる各種プログラムの実行に際して利用される各種のデータ等を一時的に格納するワークエリアとして用いられる。
【００３０】
図２は、本実施形態における第１実施例の動作を示すフローチャートである。以下、図１〜図２を参照して、本実施例の動作について説明する。なお、本実施形態では、ユーザにより任意に選定された一定時間がタイマー部（４）のアプリタイマーに設定されているものとする。
【００３１】
ユーザが移動無線通信端末より相手側の端末の電話番号をダイヤルもしくは、パケット通信の接続サイトのアドレスを入力して発信し、相手側端末、パケット通信の接続サイトがその着信に応答することにより通信が開始されるが、移動無線通信端末の制御部（５）は、その際、通信が開始された発信相手先の電話番号、もしくはパケット通信の接続サイトのアドレスを、記憶部に記憶する。このようにして移動無線通信端末が通信状態となる（Ｓ１）。
【００３２】
一方、位置情報取得部（２）はＧＰＳから受信したデータにより定期的に現在位置情報を更新している（Ｓ２）。その後、移動無線通信端末が現在通信している基地局の受信品質劣化により、基地局と同期が外れた状態となると（Ｓ３）、その時点で位置情報取得部（２）が最後に更新した位置情報を、通信不能位置情報登録部（３）のデータベースと照合する（Ｓ４）ことにより、同期が外れた位置がトンネルなどの通信切断の可能性があるエリアであるか否かを判定する（Ｓ５）。
【００３３】
最後に更新した位置情報が、データベース上の通信切断の可能性があるエリア情報と一致していなければ（Ｓ５：Ｎ）、この通信断はトンネルなどの通信切断の可能性があるエリアによるものではなく、一定時間後に回復するか否か予測できないので、タイマー部（４）の再接続タイマーのみを起動して計時をスタートし（Ｓ６）、基地局の検索を開始する。今まで通信していた基地局あるいは別の基地局が検出されれば（Ｓ７：Ｙ）、再接続処理を実施して再度通話状態とし（Ｓ１）、再接続タイマーを初期化する。
【００３４】
基地局が検出されない場合（Ｓ７：Ｎ）、この基地局検索動作は、再接続タイマーがタイムアップするまで繰り返される（Ｓ８：Ｎ）。再接続タイマーがタイムアップするまでの間に基地局が検出されなければ（Ｓ８：Ｙ）、タイマー部（４）の再接続タイマーを初期化して終話状態に遷移し（Ｓ９）、その後、引き続き基地局の検索を継続する（Ｓ１０）。基地局が検出された場合（Ｓ１０：Ｙ）には、検出された基地局で待ち受け状態（Ｓ２０）となる。基地局が検出できない場合（Ｓ１０：Ｎ）は、継続して基地局の検索を繰り返す。
【００３５】
一方、基地局と同期が外れた状態となった時点（Ｓ３）で位置情報取得部（２）が最後に更新した位置情報を、通信不能位置情報登録部（３）のデータベースとを照合（Ｓ４）した結果、通信不能位置情報登録部（３）のデータベースに登録されているトンネルなど、電波が遮断されているエリア情報と一致した場合（Ｓ５：Ｙ）には、タイマー部（４）より読み出したアプリタイマーと再接続タイマーを比較する（Ｓ１１）。比較の結果、再接続タイマーの方が長い場合（Ｓ１１：Ｙ）は、再接続タイマーを起動して計時をスタート（Ｓ６）し、（Ｓ６）以降の上述の処理を行う。通常アプリタイマーを再接続タイマーより短く設定することは考えられないが、設定ミス等による誤動作を防止するために（Ｓ１１）を設ける。
【００３６】
比較の結果、アプリタイマーの方が長い場合（Ｓ１１：Ｎ）には、再接続タイマー及び、アプリタイマーを同時に起動して計時をスタートさせる（Ｓ１２）。そして再接続タイマーがタイムアップする前に別の基地局が検出され（Ｓ１３：Ｙ）、再接続処理が成功した場合は、前述の動作と同様に再び通信状態になる（Ｓ１）。再接続タイマーがタイムアップするまでの間に別の基地局が検出されなければ（Ｓ１４：Ｙ）、タイマー部（４）の再接続タイマーを初期化して終話状態に遷移する（Ｓ１５）が、アプリタイマーがタイムアップするまでは、再発信のための待ち受け状態（圏外待ち受け）を維持する（Ｓ１６）。
【００３７】
この再発信のための待ち受け状態のときに、同じ基地局あるいは別の基地局を検出した場合（Ｓ１７：Ｙ）には、制御部（５）は、その基地局に位置登録するとともに、記憶部に記憶されている発信相手先の電話番号、もしくはパケット通信の接続サイトのアドレスを読み出して、同期が外れる前に通信していた電話番号、もしくはパケット通信の接続サイトへ再発信を行い、通信を再確立する（Ｓ１９）。アプリタイマーがタイムアップするまでの間に別の基地局が検出されなければ（Ｓ１８：Ｙ）、タイマー部（４）のアプリタイマーを初期化し、その後は、通常の基地局の検出を続行し（Ｓ１０）、基地局が検出されれば（Ｓ１０：Ｙ）、位置登録して通常の待ち受け状態となる（Ｓ２０）。
【００３８】
本実施形態によれば、通信中に同期外れ等により通信が切断されたとき、ＧＰＳ機能から得た位置情報と移動無線通信端末が保有しているデータベースとから通信が切断された場所を照合し、その場所がトンネルなどの基地局からの電波が遮断されるようなエリアであると判定できたとき、基地局から取得した再接続タイマー以外に、端末内部にタイマーを設定し、再接続タイマーがタイムアップした後であっても、端末内部に設定したタイマーがタイムアップする前に通信可能な環境に移動した際に、先の通話相手に対して自動で再発信され、通信を再開できるので、ユーザは再発信のための操作をしなくて済む。
【００３９】
図３は、本実施形態における第２実施例の動作を示すフローチャートである。
【００４０】
本実施例の基本構成は上記第１実施例のとおりであるが、ＧＰＳ機能による利点についてさらに工夫している。即ち本実施例では、ＧＰＳ機能により通話断となりそうな位置の情報を取得した際に、通話断となる前にバックグラウンドで「トンネルに入るため、通話が中断されます。暫く、そのままの状態でお待ちください。」などを音声に重畳して、接続先、もしくは双方に知らせる機能を有する構成としている。このように本実施例では、ＧＰＳ機能によって、接続先に対して通話状況を伝えるという効果が得られる。
【００４１】
次に、本実施例の特徴部分の動作について、図１、図３を参照して説明する。
【００４２】
ユーザが移動無線通信端末より相手側の端末の電話番号をダイヤルもしくは、パケット通信の接続サイトのアドレスを入力して発信し、相手側端末、パケット通信の接続サイトがその着信に応答することにより通信が開始されるが、移動無線通信端末の制御部（５）は、通信が開始された発信相手先の電話番号、もしくはパケット通信の接続サイトのアドレスを、記憶部に記憶する。このようにして移動無線通信端末が通信状態となる（Ｓ１）。
【００４３】
一方、位置情報取得部（２）はＧＰＳから受信したデータにより定期的に現在位置情報を更新しており（Ｓ２）、制御部（５）は、更新された位置情報を、通信不能位置情報登録部（３）のデータベースと定期的に照合する（Ｓ２１）ことにより、最後に更新した位置情報と更新前の位置情報とから、移動無線通信端末がトンネルなどの通信切断の可能性があるエリアに入っていく可能性があるか否かを判定し（Ｓ２２）、移動無線通信端末がトンネルなどの通信切断の可能性があるエリアに入っていく可能性がある場合（Ｓ２２：Ｙ）には、通話断となる前にバックグラウンドで「トンネルに入るため、通話が中断されます。暫く、そのままの状態でお待ちください。」などを音声に重畳して、あるいは文字情報にて接続先、もしくは双方に予告通知する（Ｓ２３）。
【００４４】
その後、移動無線通信端末が現在通信している基地局の受信品質劣化により、基地局と同期が外れた状態となったとき（Ｓ３：Ｙ）には、前記の通信切断予告通知（Ｓ２３）が有ったか否かを判定し（Ｓ３１）、通信切断予告通知がなかった場合（Ｓ３１：Ｎ）には、再接続タイマーのみを起動し（Ｓ６）、直前に通信切断予告通知が有った場合（Ｓ３１：Ｙ）には、この同期が外れ状態は前記予告通知したエリアに入ったものと判断して、タイマー部(４)の再接続タイマーとアプリタイマーを同時に起動する。これ以降の動作は、実施例１と同様であるので詳細説明は省略する。
【００４５】
本実施例によれば、トンネルなど、基地局からの電波が遮断されるようなエリアで通信が切断されそうな際に、ＧＰＳ機能から得た位置情報と移動無線通信端末が保有しているデータベースとから通信が切断されそうであるという場所であることを判断し、自身及び通話相手に対して、通信が切れそうである旨、及びトンネルを抜ければ再び通信可能である旨を伝えることができるので、通信が切断されたときに、何時通信が再開されるのかを予測することができる。
【００４６】
なお上記実施例では、トンネルを例に説明してきたが、同様の効果が得られる環境として、地下やエレベータ内が上げられる。このような電波が遮断されているエリアをデータベースとして通信不能位置情報登録部（３）に登録しておけば、本発明の効果を得ることが出来る。
【００４７】
また上記実施例では、アプリタイマーに設定される時間は、基地局からの電波が遮断されるエリアに関係なく設定するものとして説明したが、例えばトンネルの長さ等から、そのトンネルを抜けて再び通信が可能になるまでの時間を推定することにより、アプリタイマーに設定する時間をエリア毎に選定して通信不能位置情報登録部（３）に登録しておき、通信が切断された場所が基地局からの電波が遮断されて通信の維持が不可能となるエリアと一致するときには、該エリアと関連付けされて登録されているアプリタイマーの設定時間を通信不能位置情報登録部（３）から読み出して、タイマー部（４）のアプリタイマーにセットするようにしてもよい。
【図面の簡単な説明】
【００４８】
【図１】本発明の実施形態を示す移動無線通信端末のブロック構成図である。
【図２】本実施形態の第１実施例の動作を示すフローチャートである。
【図３】本実施形態の第２実施例の動作を示すフローチャートである。
【図４】移動無線通信端末が再接続処理をする際の受信品質と再接続タイマーの時間関係を示す図である。
【図５】移動無線通信端末が再接続処理をする際の受信品質と再接続タイマーの時間関係を示す図である。
【図６】従来の移動無線通信端末における通信切断時の再接続動作を示すフローチャートである。
【符号の説明】
【００４９】
１  無線部
２  位置情報取得部
３  通信不能位置情報登録部
４  タイマー部
５  制御部
【図１】
0004775049.tif 000002
【図２】
0004775049.tif 000003
【図３】
0004775049.tif 000004
【図４】
0004775049.tif 000005
【図５】
0004775049.tif 000006
【図６】
0004775049.tif 000007